(57)【特許請求の範囲】
【請求項１】
昇降路を昇降する昇降体と、この昇降体の昇降を案内するガイドレールと、前記昇降体に取付けられ、必要時にガイドレールを強圧することで摩擦力を発生させる非常止め装置と、前記昇降路底部のピットに配置され、前記昇降体の下降を強制制動する強制制動装置とを備えたエレベーター装置において、
前記非常止め装置を、前記昇降体の下部に設けるとともに、前記強制制動装置を前記非常止め装置の鉛直投影面内に配置し、かつ、前記強制制動装置は、前記ガイドレールに摺接する制動子と、この制動子を前記ガイドレールに沿って保持する保持手段とを備え、前記昇降体の異常下降に伴う前記非常止め装置の前記強制制動装置への当接により、前記制動子を前記ガイドレールに摺動させ前記昇降体を制動するものであり、
前記制動子は、前記ガイドレールを挟む様に対となる制動子と、前記ガイドレール頂部に対向するように設けられる制動子からなり、前記保持手段に前記制動子を前記ガイドレールに押圧する弾性体を備え、前記対となる制動子は前記ガイドレールの根元側端部に係止する形状であることを特徴とするエレベーター装置。
【請求項２】
前記強制制動装置が所定の位置に装着されているかどうかを検出する検出スイッチを設けたことを特徴とする請求項１記載のエレベーター装置。
【発明の詳細な説明】
【技術分野】
【０００１】
本発明は、ガイドレールに案内されて移動する昇降体に規定以上の速度での移動動作を生じた場合、その移動速度を減速するための安全装置を備えたエレベーター装置に関する。
【背景技術】
【０００２】
エレベーター装置は、一般に３段構えの安全装置を備えている。第１段の安全装置は調速機である。調速機は、かごの昇降速度を検出しており、それに異常が生じた場合にはロープを駆動している巻上機のブレーキを作動させて制動を行なうなどの安全処置がとられる。第２段の安全装置は非常止め装置である。非常止め装置は、かごに取り付けられており、必要時にガイドレールを強圧することで高い摩擦力を発生させて制動を行なう。この非常止め装置は、第１段の安全処置でもかごが減速せず増速した場合に、調速機からの信号で作動するようになっている。第３段の安全装置は、かごが昇降を行なう昇降路の下側に形成してあるピットに設置される緩衝器である。この緩衝器は、昇降路底部にかごが衝突しそうになった場合、衝突しないうちにかごの下降を緩やかに停止させるものである。
【０００３】
緩衝器によるかごの停止はかごが緩衝器に衝突する状態でなされる。したがって、かごの乗客に与える衝撃を安全な範囲に抑えるには、緩衝器の動作ストロークを一定以上の高さにする必要がある。このことは緩衝器の大型化や高コスト化につながっている。また、ピットの深さは一般的に動作ストロークの２倍以上必要とされるが、緩衝器の大型化によりピットの深さも深くなりその結果、建築物の利用効率を低下させることになる。
【０００４】
そこで、従来、かごを減速させることのできる非常用減速装置を設け、緩衝器に対する負荷をできるだけ小さくして緩衝器の小型化を図り、さらには緩衝器の設置も不要にしたものが提案されている（例えば、特許文献１参照）。この装置は、かごを案内するガイドレールに対してこれを挟み込む状態で係合するように形成された制動挟持体と、ガイドレールの終端部に設けられ、終端方向に向けて厚みが増大する増厚部を有するストッパからなり、制動挟持体へのストッパの進入を通してかごの運動エネルギを吸収することにより、非常時の減速をなすようにしたものである。すなわち、制動挟持体をかごに対して固定的に接続させるとともに、この制動挟持体をそれへのストッパの進入に際して増厚部に削れを生じさせるように形成し、この削れによりかごの運動エネルギの主たる吸収をなすようにている。
【先行技術文献】
【特許文献】
【０００５】
【特許文献１】特開２００４−２１８６７８（段落番号００１７〜００２２、図１）
【発明の概要】
【発明が解決しようとする課題】
【０００６】
しかしながら、前述した従来の非常用減速装置では、かご側に、制動挟持体を新たに設ける必要があるとともに、ガイドレールを、その終端部に、終端方向に向けて厚みが増大する増厚部を有するストッパが備えられた特別なものとする必要があり、コストアップを招くという問題があった。また、ガイドレールにストッパを一体的に設けたものの場合、非常用減速装置が動作してストッパが消耗すると、ガイドレール全体を交換する必要があり、保守コストがかかるという問題があった。
【０００７】
このため、前述した従来のものでは、保守の負担を軽減するため、ストッパ部材をガイドレールに着脱自在に取付けることも提案されているが、この場合、制動挟持体へのストッパの進入時にかかる大きな衝撃により、ストッパがガイドレールから脱落する恐れがあり、第３段の安全装置としての目的を考えた時に、その信頼性に懸念があった。
【０００８】
本発明は、前述した従来技術における実状からなされたもので、その目的は、簡易な構造で第３段の安全装置として求められる確実な制動性能を確保することができるとともに、それが作動した後の保守の負担を軽減することのできるエレベーター装置を提供することにある。
【課題を解決するための手段】
【０００９】
前記の目的を達成するために、本発明は、昇降路を昇降する昇降体と、この昇降体の昇降を案内するガイドレールと、前記昇降体に取付けられ、必要時にガイドレールを強圧することで摩擦力を発生させる非常止め装置と、前記昇降路底部のピットに配置され、前記昇降体の下降を強制制動する強制制動装置とを備えたエレベーター装置において、前記非常止め装置を、前記昇降体の下部に設けるとともに、前記強制制動装置を前記非常止め装置の鉛直投影面内に配置し、かつ、前記強制制動装置は、前記ガイドレールに摺接する制動子と、この制動子を前記ガイドレールに沿って保持する保持手段とを備え、前記昇降体の異常下降に伴う前記非常止め装置の前記強制制動装置への当接により、前記制動子を前記ガイドレールに摺動させ前記昇降体を制動するものであり、前記制動子は、前記ガイドレールを挟む様に対となる制動子と、前記ガイドレール頂部に対向するように設けられる制動子からなり、前記保持手段に前記制動子を前記ガイドレールに押圧する弾性体を備え、前記対となる制動子は前記ガイドレールの根元側端部に係止する形状であることを特徴としている。
【００１０】
このように構成した本発明では、通常時、制動子は保持手段によりガイドレールに係止するかたちでピット底部から所定寸法離れた高さ位置に保持されている。そして、何らかの要因により昇降体がピットに向かって異常下降した場合、所定の高さ位置で昇降体下部に設けられた非常止め装置と、この非常止め装置の鉛直投影面内に配置された強制制動装置とが当接し、これに応じて強制制動装置の制動子がガイドレールに沿って摺動し、摩擦力により昇降体を制動する。強制制動装置を作動させる非常止め装置は、十分な堅牢性をもってあらかじめ昇降体に設けられるべきものであるとともに、ガイドレールは、制動子のガイドレールへの摺動により生じる摩擦力により昇降体を制動させるものであることから通常のものを用いることができ、これによって、簡易な構造で第３段の安全装置として求められる確実な制動性能を確保することができる。また、制動子をガイドレールに摺接させ摩擦により昇降体を強制制動するものであることから、強制制動により制動子およびガイドレールのそれぞれに削れが生じるが、制動子の硬度を比較的柔らかいものにすることで、強制制動時にガイドレールに大きな摩耗が生じることを防ぎ、保守の際には制動子のみを交換すればよいようにし、これによって、強制制動装置が作動した後の保守の負担を軽減することができる。また、保持手段に備えられた弾性体により制動子をガイドレールに押し付けることにより、制動時に適切な摩擦力を発生させ、安定した強制制動を実現することができる。
【００１３】
また、本発明は、前記強制制動装置が所定の位置に装着されているかどうかを検出する検出スイッチを設けたことを特徴としている。
【００１４】
このように構成した本発明では、通常、ガイドレールに係止するかたちでピット底部から所定寸法離れた高さ位置に保持される強制制動装置が、何らかの要因により脱落等した場合、検出スイッチがこの異常を検出しエレベーターを停止する。これによって、強制制動装置に異常が生じた状態でエレベーターが継続して稼働することを防ぎ、安全性の向上を図ることができる。
【発明の効果】
【００１５】
本発明によれば、緩衝器の小型化を図ったエレベーター装置、または緩衝器レスのエレベーター装置にあって、簡易な構造で第３段の安全装置として求められる確実な制動性能を確保することができるとともに、それが作動した後の保守の負担を軽減することができ、これによって、コストの低減を図りつつ、安全性の向上を図ることができる。
【図面の簡単な説明】
【００１６】
【図１】本発明に係るエレベーター装置の一実施例を示す正面図である。
【図２】本実施例におけるエレベーター装置の強制制動装置の概略正面図である。
【図３】図２のＡ−Ａ線に沿う要部概略横断面図である。
【図４】本実施例におけるエレベーター装置の強制制動装置の概略上面図である。
【発明を実施するための形態】
【００１７】
以下、本発明に係るエレベーター装置の実施例を図に基づき説明する。
【００１８】
本実施例のエレベーター装置は、図１に示すように、昇降路１を昇降する昇降体、例えば、かご２と、このかご２の昇降を案内するガイドレール３と、かご２に取付けられ、必要時にガイドレール３を強圧することで摩擦力を発生させる非常止め装置４と、昇降路底部のピット５に配置され、かご２の下降を強制的に制動する強制制動装置６とを備えている。
【００１９】
かご２には、図示しない巻上機により駆動されるロープ７が接続されるとともに、その四隅には、ガイドレール３に摺接するガイドシュー８が配置されている。
【００２０】
非常止め装置４は、かご２の下部にあってそれぞれのガイドレール３と対向するように設けられる。
【００２１】
強制制動装置６は、図２乃至図４に示すように、ガイドレール３を挟む様に対となる制動子６１ａと、ガイドレール３頂部に対向するように設けられる制動子６１ｂと、これらの制動子６１ａ、６１ｂをガイドレール３に沿って保持する保持手段６２と、強制制動装置６の上部に設けられ、非常止め装置４と当接する緩衝用弾性体６３とを備えている。
【００２２】
制動子６１ａ、６１ｂは、保持手段６２によりガイドレール３に係止するかたちでピット５底部から所定寸法離れた高さ位置にあらかじめ保持されている。
【００２３】
保持手段６２は、図３に示す断面形状を有しており、その立ち上がり辺とガイドレール３との間で制動子６１ａ、６１ｂを挟み込む本体６２ａと、一端が制動子６１ａおよび６１ｂ、他端が弾性体圧縮用板６２ｂ、６２ｃに当接するように配置され、制動子６１ａ、６１ｂをガイドレール３に押圧する弾性体６２ｄ、６２ｅと、本体６２ａに螺合され、弾性体圧縮用板６２ｂ、６２ｃを介して弾性体６２ｄ、６２ｅをガイドレール３方向へ押し付ける弾性体圧縮用ボルト６２ｆ、６２ｇとを備えている。
【００２４】
ガイドレール３の所定の高さ位置には、図１に示すように、強制制動装置６が所定の位置に装着されているかどうかを検出する検出スイッチ９が設けられている。
【００２５】
本実施例にあっては、エレベーター装置に適用された強制制動装置６が非常止め装置４の後段で作動することを基本としている。すなわち何らかの故障でかご２が異常降下した場合に、非常止め装置４と非常止め装置４の鉛直投影面内に配置された強制制動装置６とが当接する。この状態でかご２が下降することで、強制制動装置６の制動子６１ａ、６１ｂがガイドレール３に沿って摺動し、摩擦力により、かご２がピット５底部に衝突する前に、かご２を制動する。また、通常、ガイドレール３に係止するかたちでピット５底部から所定寸法離れた高さ位置に保持される強制制動装置６が、何らかの要因により脱落等した場合、検出スイッチ９がこの異常を検出しエレベーターを停止する。
【００２６】
本実施例によれば、強制制動装置６を作動させる非常止め装置４は、十分な堅牢性をもってあらかじめかご２に設けられるべきものであるとともに、ガイドレール３は、制動子６１ａ、６１ｂのガイドレール３への摺動により生じる摩擦力によりかご２を制動させるものであることから、通常のものを用いることができ、これによって、簡易な構造で第３段の安全装置として求められる確実な制動性能を確保することができる。また、制動子６１ａ、６１ｂをガイドレール３に摺接させ摩擦によりかご２を強制制動するものであることから、強制制動により制動子６１ａ、６１ｂおよびガイドレール３のそれぞれに削れが生じるが、制動子６１ａ、６１ｂの硬度を比較的柔らかいものにすることで、強制制動時にガイドレール３に大きな摩耗が生じることを防ぎ、保守の際には制動子６１ａ、６１ｂのみを交換すればよいようにすることで、強制制動装置６が作動した後の保守の負担を軽減することができる。したがって、緩衝器レスのエレベーター装置にあって、コストの低減を図りつつ、安全性の向上を図ることができる。さらに、保持手段６２に備えられた弾性体６２ｄ、６２ｅにより制動子６１ａ、６１ｂをガイドレール３に押し付けることにより、制動時に適切な摩擦力を発生させ、安定した強制制動を実現することができる。さらにまた、強制制動装置６が何らかの要因により脱落等した場合、検出スイッチ９がこの異常を検出しエレベーターを停止することで、強制制動装置６に異常が生じた状態でエレベーターが継続して稼働することを防ぎ、安全性の向上を図ることができる。
【００２７】
なお、前述した実施例では、かご２に非常止め装置４および強制制動装置６を設置したものを例としたが、本発明はこれに限らず、つり合いおもり側にも同等の構成の非常止め装置および強制制動装置を設けてもよい。また、ピット５に緩衝器を設置しないものを例としたが、ピット５に第４段目の安全装置として小型の緩衝器を設けてもよい。
【符号の説明】
【００２８】
１  昇降路
２  かご
３  ガイドレール
４  非常止め装置
５  ピット
６  強制制動装置
６１ａ、６１ｂ  制動子
６２  保持手段
６２ａ  本体
６２ｂ、６２ｃ  弾性体圧縮用板
６２ｄ、６２ｅ  弾性体
６２ｆ、６２ｇ  弾性体圧縮用ボルト
６３  緩衝用弾性体
７  ロープ
８  ガイドシュー
９  検出スイッチ
【図２】
0005501995.tif 000002
【図３】
0005501995.tif 000003
【図４】
0005501995.tif 000004
【図１】
0005501995.tif 000005